(57)【要約】【課題】火災警報器からも通知音を出力させたインターホンシステム、それに用いるインターホン親機及び火災警報器を提供する。【解決手段】インターホンシステムＡは、インターホン子器４との間で通話を行うインターホン親機１と、火災発生を検知して警報を発する火災警報親器２及び複数の火災警報子器３とを備えている。インターホン親機１は、火災警報親器２又は火災警報子器３からの火災検知信号を受信し且つ火災警報親器２及び火災警報子器３に通知音信号を送信する制御Ｉ／Ｆコマンド送受信回路１５を有し、火災警報親器２及び火災警報子器３は、インターホン親機１に火災検知信号を送信し且つインターホン親機１からの通知音信号を受信するデータ送受信回路２０を有している。そして、火災警報親器２及び火災警報子器３は、インターホン親機１から通知音信号を受信すると、それぞれスピーカー２４を通して通知音を出力する。【選択図】図１
2008187518.tif 000002
【特許請求の範囲】
【請求項１】
火災警報器と、当該火災警報器に接続されるインターホン親機とを有し、インターホン親機は、火災警報器からの検知信号を受信する検知信号受信部と、当該検知信号受信部が検知信号を受信すると警報を報知する警報報知部と、火災警報器から通知音を出力させるための通知音信号を火災警報器に送信する通知音信号送信部とを備え、火災警報器は、火災を検知する火災検知部と、当該火災検知部が火災を検知すると検知信号をインターホン親機に送信する検知信号送信部と、インターホン親機からの通知音信号を受信する通知音信号受信部と、火災検知部が火災を検知すると警報を出力し、且つ通知音信号受信部が通知音信号を受信すると通知音を出力する報知出力部とを備えたことを特徴とするインターホンシステム。
【請求項２】
呼出釦が押されると、インターホン親機に対して呼出信号を出力するインターホン子器を備え、インターホン親機にインターホン子器からの呼出信号を受信する呼出信号受信部を設け、当該呼出信号受信部が呼出信号を受信すると前記通知音信号送信部が火災警報器に対して通知音信号を送信することを特徴とする請求項１記載のインターホンシステム。
【請求項３】
前記火災警報器を複数備え、インターホン親機は、各火災警報器毎に通知音信号の送信の要否を設定する送信設定部を有しており、当該送信設定部で送信要と設定した火災警報器に対して前記通知音信号送信部が通知音信号を送信することを特徴とする請求項１又は２の何れか１項に記載のインターホンシステム。
【請求項４】
前記火災警報器を複数備え、通知音信号入力時の動作を通知音を出力する出力モード又は通知音を出力しない非出力モードの何れかに設定する出力設定部を個々の火災警報器に設け、各火災警報器は、出力設定部により非出力モードに設定されると前記通知音信号受信部が通知音信号を受信しても前記報知出力部は通知音を出力せず、且つ出力設定部により出力モードに設定されると前記通知音信号受信部が通知音信号を受信した際に前記報知出力部が通知音を出力することを特徴とする請求項１又は２の何れか１項に記載のインターホンシステム。
【請求項５】
火災を検知する火災検知部、当該火災検知部が火災を検知すると検知信号を外部に送信する検知信号送信部、外部からの通知音信号を受信する通知音信号受信部及び火災検知部が火災を検知すると警報を出力し、且つ通知音信号受信部が通知音信号を受信すると通知音を出力する報知出力部を具備した火災警報器と、当該火災警報器に接続されるインターホン親機とを有するインターホンシステムに用いられ、火災警報器からの検知信号を受信する検知信号受信部と、当該検知信号受信部が検知信号を受信すると警報を報知する警報報知部と、火災警報器から通知音を出力させるための通知音信号を火災警報器に送信する通知音信号送信部とを備えたことを特徴とするインターホン親機。
【請求項６】
外部からの検知信号を受信する検知信号受信部、当該検知信号受信部が検知信号を受信すると警報を報知する警報報知部及び通知音を出力させるための通知音信号を外部に送信する通知音信号送信部を具備したインターホン親機と、当該インターホン親機に接続される火災警報器とを有するインターホンシステムに用いられ、火災を検知する火災検知部と、当該火災検知部が火災を検知すると検知信号をインターホン親機に送信する検知信号送信部と、インターホン親機からの通知音信号を受信する通知音信号受信部と、火災検知部が火災を検知すると警報を出力し、且つ通知音信号受信部が通知音信号を受信すると通知音を出力する報知出力部とを備えたことを特徴とする火災警報器。
【請求項７】
インターホン子器からの呼出信号に応じてインターホン親機から入力される通知音信号を通知音信号受信部が受信すると、報知出力部が呼出しを通知するための通知音を出力することを特徴とする請求項６記載の火災警報器。
【発明の詳細な説明】
【技術分野】
【０００１】
本発明は、インターホンシステム、それに用いるインターホン親機及び火災警報器に関するものである。
【背景技術】
【０００２】
従来より、火災等の異常を感知する感知器が接続され、感知器からの検知信号を受信すると警報音を出力するセキュリティーハンズフリーホンがあった（例えば特許文献１参照）。このセキュリティーハンズフリーホンには、呼出釦を有し玄関に配置されるドアホン子器と、例えば火災を感知する火災感知器とが接続されており、ドアホン子器との間で通話を行うための通話回路と、火災感知器からの検知信号を受けて警報音を出力するアラームユニットと、各回路からの信号を処理する信号処理部と、音声を出力するためのスピーカーと、スピーカーを通話回路又はアラームユニットに切替接続する切替器と、ドアホン子器からの呼出信号を検知する呼出検知回路と、スピーカーからチャイム音を発生させるためのチャイム音発生回路とを備えている。
【０００３】
このセキュリティーハンズフリーホンでは、ドアホン子器の呼出釦が操作されると呼出検知回路がドアホン子器からの呼出信号を検知し、信号処理部がチャイム音発生回路を制御してチャイム音を発生させ、スピーカーを通してチャイム音が出力される。一方、火災感知器からの検知信号がアラームユニットに入力されると、信号処理部が切替器を制御してスピーカーがアラームユニットに切り替えられ、スピーカーを通して警報音が出力される。
【特許文献１】特開平８−７０３６１号公報（第３頁−第４頁、及び、第１図−第３図）
【発明の開示】
【発明が解決しようとする課題】
【０００４】
上述の特許文献１に示したセキュリティーハンズフリーホンでは、火災感知器が火災を検知すると、火災感知器はセキュリティーハンズフリーホンに対して検知信号を送信し、セキュリティーハンズフリーホンは検知信号を受信すると警報音を出力する。しかし、ドアホン子器からの呼出時においては、火災感知器はシステムの一部として活用されておらず、セキュリティーハンズフリーホンからチャイム音が出力されるだけであった。従って、火災感知器は設置されているがセキュリティーハンズフリーホンから離れた場所にいると、チャイム音が聞こえず来客に気づかない場合があった。
【０００５】
本発明は上記問題点に鑑みて為されたものであり、その目的とするところは、火災警報器からも通知音を出力させたインターホンシステム、それに用いるインターホン親機及び火災警報器を提供することにある。
【課題を解決するための手段】
【０００６】
請求項１の発明は、火災警報器と、当該火災警報器に接続されるインターホン親機とを有し、インターホン親機は、火災警報器からの検知信号を受信する検知信号受信部と、当該検知信号受信部が検知信号を受信すると警報を報知する警報報知部と、火災警報器から通知音を出力させるための通知音信号を火災警報器に送信する通知音信号送信部とを備え、火災警報器は、火災を検知する火災検知部と、当該火災検知部が火災を検知すると検知信号をインターホン親機に送信する検知信号送信部と、インターホン親機からの通知音信号を受信する通知音信号受信部と、火災検知部が火災を検知すると警報を出力し、且つ通知音信号受信部が通知音信号を受信すると通知音を出力する報知出力部とを備えたことを特徴とする。
【０００７】
請求項２の発明は、呼出釦が押されると、インターホン親機に対して呼出信号を出力するインターホン子器を備え、インターホン親機にインターホン子器からの呼出信号を受信する呼出信号受信部を設け、当該呼出信号受信部が呼出信号を受信すると通知音信号送信部が火災警報器に対して通知音信号を送信することを特徴とする。
【０００８】
請求項３の発明は、火災警報器を複数備え、インターホン親機は、各火災警報器毎に通知音信号の送信の要否を設定する送信設定部を有しており、当該送信設定部で送信要と設定した火災警報器に対して通知音信号送信部が通知音信号を送信することを特徴とする。
【０００９】
請求項４の発明は、火災警報器を複数備え、通知音信号入力時の動作を通知音を出力する出力モード又は通知音を出力しない非出力モードの何れかに設定する出力設定部を個々の火災警報器に設け、各火災警報器は、出力設定部により非出力モードに設定されると通知音信号受信部が通知音信号を受信しても報知出力部は通知音を出力せず、且つ出力設定部により出力モードに設定されると通知音信号受信部が通知音信号を受信した際に報知出力部が通知音を出力することを特徴とする。
【００１０】
請求項５の発明は、火災を検知する火災検知部、当該火災検知部が火災を検知すると検知信号を外部に送信する検知信号送信部、外部からの通知音信号を受信する通知音信号受信部及び火災検知部が火災を検知すると警報を出力し、且つ通知音信号受信部が通知音信号を受信すると通知音を出力する報知出力部を具備した火災警報器と、当該火災警報器に接続されるインターホン親機とを有するインターホンシステムに用いられ、火災警報器からの検知信号を受信する検知信号受信部と、当該検知信号受信部が検知信号を受信すると警報を報知する警報報知部と、火災警報器から通知音を出力させるための通知音信号を火災警報器に送信する通知音信号送信部とを備えたことを特徴とする。
【００１１】
請求項６の発明は、外部からの検知信号を受信する検知信号受信部、当該検知信号受信部が検知信号を受信すると警報を報知する警報報知部及び通知音を出力させるための通知音信号を外部に送信する通知音信号送信部を具備したインターホン親機と、当該インターホン親機に接続される火災警報器とを有するインターホンシステムに用いられ、火災を検知する火災検知部と、当該火災検知部が火災を検知すると検知信号をインターホン親機に送信する検知信号送信部と、インターホン親機からの通知音信号を受信する通知音信号受信部と、火災検知部が火災を検知すると警報を出力し、且つ通知音信号受信部が通知音信号を受信すると通知音を出力する報知出力部とを備えたことを特徴とする。
【００１２】
請求項７の発明は、インターホン子器からの呼出信号に応じてインターホン親機から入力される通知音信号を通知音信号受信部が受信すると、報知出力部が呼出しを通知するための通知音を出力することを特徴とする。
【発明の効果】
【００１３】
請求項１の発明によれば、火災警報器の通知音信号受信部がインターホン親機からの通知音信号を受信すると報知出力部が通知音を出力するので、インターホン親機が設置されていない場所でも火災警報器が設置されている場所であれば火災警報器を通して住居人に通知を行えるインターホンシステムを実現することができるという効果がある。
【００１４】
請求項２の発明によれば、インターホン親機の呼出信号受信部がインターホン子器からの呼出信号を受信すると通知音信号送信部が火災警報器に対して通知音信号を送信するので、インターホン子器からの呼出信号に対して火災警報器から通知音を出力することができる。従って、インターホン親機は設置されていないが火災警報器が設置されている場所にいる住居人に対しても来客があったことを確実に通知できるインターホンシステムを実現することができるという効果がある。
【００１５】
請求項３の発明によれば、各火災警報器毎に通知音信号の送信の要否を設定する送信設定部をインターホン親機に設けているので、送信設定部で送信要と設定した火災警報器にのみ通知音信号を送信することができる。従って、インターホン親機からの通知音が聞こえる範囲内に設置された火災警報器からは通知音を出力しないように設定した場合には、インターホン親機からの通知音と火災警報器からの通知音が重なって聞こえることがなく、住居人を不快にさせることがないという効果がある。
【００１６】
請求項４の発明によれば、通知音信号入力時の動作を通知音を出力する出力モード又は通知音を出力しない非出力モードの何れかに設定する出力設定部を個々の火災警報器に設けているので、出力設定部を出力モードに設定した火災警報器のみから通知音を出力させることができる。従って、インターホン親機からの通知音が聞こえる範囲内に設置された火災警報器からは通知音を出力しないように設定した場合には、インターホン親機からの通知音と火災警報器からの通知音が重なって聞こえることがなく、住居人を不快にさせることがないという効果がある。
【００１７】
請求項５の発明によれば、インターホン親機は通知音信号を火災警報器に送信する通知音信号送信部を備えており、火災警報器は通知音信号送信部からの通知音信号を受信すると通知音を出力するので、インターホン親機が設置されていない場所でも火災警報器が設置されている場所であれば火災警報器を通して住居人に通知を行えるインターホン親機を実現することができるという効果がある。
【００１８】
請求項６の発明によれば、インターホン親機は通知音信号を火災警報器に送信する通知音信号送信部を備えており、火災警報器は通知音信号送信部からの通知音信号を受信すると通知音を出力するので、インターホン親機が設置されていない場所でも火災警報器が設置されている場所であれば火災警報器を通して住居人に通知を行える火災警報器を実現することができるという効果がある。
【００１９】
請求項７の発明によれば、インターホン子器からの呼出信号に応じてインターホン親機から入力される通知音信号を通知音信号受信部が受信すると、報知出力部から呼出しを通知するための通知音を出力するので、インターホン親機は設置されていないが火災警報器が設置されている場所にいる住居人に対しても来客があったことを確実に通知できる火災警報器を実現することができるという効果がある。
【発明を実施するための最良の形態】
【００２０】
本発明の実施形態を図１〜図３に基づいて説明する。本発明に係るインターホンシステムＡは、住居外の玄関等に設置されるインターホン子器４と、住居内に設置されてインターホン子器４との間で通話を行うインターホン親機１と、火災発生を検知して警報（例えば警報音等）を発する火災警報親器２及び複数（図２では２個）の火災警報子器３と、押操作により異常が発生したことをインターホン親機１に通知するための外付けの非常ボタン５とを備えている。そして、インターホン子器４は、２線式の通信線６を介してインターホン親機１に接続されており、火災警報親器２及び火災警報子器３は、２線式の信号線８を介して直列にインターホン親機１に接続されている。尚、火災警報子器３は各部の動作電源を生成する電源回路を有しておらず、各火災警報子器３の動作電源はこの信号線８を介して火災警報親器２からそれぞれ供給される。また、非常ボタン５は、信号線７を介して後述するインターホン親機１のＣＰＵ１０に直接接続されている。
【００２１】
まず、インターホン子器４について図２に基づいて説明する。インターホン子器４は、厚みが薄い平面視矩形状の器体４ａを有しており、器体４ａの前面側上方位置には来訪者を撮像するためのＣＣＤカメラよりなる撮像部４ｂが設けられている。また、器体４ａの前面側下方位置には、住居人を呼び出す呼出信号を発生させるための呼出ボタン４ｃが設けられており、撮像部４ｂと呼出ボタン４ｃの間には、インターホン親機１との間で通話を行うための図示しないスピーカー及びマイクロホンが内蔵された通話部４ｄが設けられている。尚、インターホン子器４は、従来周知のものを使用しているので、詳細については説明を省略する。
【００２２】
次に、インターホン親機１について図１及び図２に基づいて説明する。インターホン親機１は、厚みが薄い平面視矩形状の器体１ａを有しており、器体１ａの前面側上方位置にはインターホン子器４の撮像部４ｂで撮像した映像を表示するための液晶ディスプレイ（ＬＣＤ）よりなる映像表示用モニター１２が配置されている。また、器体１ａの前面側下方位置には、通話ボタン１ｄが設けられており、この通話ボタン１ｄを押すことによってインターホン子器４との間で通話が可能になる。さらに、映像表示用モニター１２と通話ボタン１ｄの間には、インターホン子器４との間で通話を行うためのスピーカー１７及びマイクロホン１８が内蔵された通話部１ｃが設けられており、通話部１ｃの直上には例えば映像表示用モニター１２を表示したり、録画した映像を再生するための複数（図２では４個）の機能ボタン１ｅ〜１ｈが横並びに設けられている。ここに、本実施形態では、通信線６を介してインターホン子器４が接続され、インターホン子器４との間に通話路を形成し、この通話路を介してインターホン子器４との間で通話を行うインターホン主親機のみでインターホン親機１を構成しているが、インターホン親機１は本実施形態に限定されるものではなく、上述したインターホン主親機と、インターホン主親機に信号線を介して接続される１乃至複数台のインターホン副親機とでインターホン親機１を構成してもよい。尚、インターホン副親機は、インターホン主親機を介してインターホン子器４との間に通話路が形成されるとともに、インターホン主親機を介してインターホン子器４からの映像信号を受信しており、インターホン主親機を介してインターホン子器４との間でインターホン通話が行えるようになっている。
【００２３】
ここで、インターホン親機１の内部構成について、図１に示すブロック図に基づいて説明する。インターホン親機１は、マイクロコンピュータを主構成要素とするＣＰＵ１０と、映像表示用モニター１２と、インターホン子器４から周波数多重化により伝送されてきた映像信号を復調し映像表示用モニター１２に映像信号を出力して映像を表示させる映像信号変復調回路１１と、インターホン子器４から伝送されてきた音声信号を出力するスピーカー１７と、音声を入力するためのマイクロホン１８と、マイクロホン１８から入力された音声信号とインターホン子器４から伝送されてきた音声信号とを比較し、信号レベルが低い方の音声信号を減衰させることで通話方向（インターホン親機１→インターホン子器４又はインターホン子器４→インターホン親器１）を切り替える音声スイッチ機能を有する音声処理回路１３と、呼出ボタン４ｃの操作に応じてインターホン子器４から伝送される呼出信号を検出するインターホン子器呼出検出回路（呼出信号受信部）１４と、タイマー１６と、火災警報親器２又は火災警報子器３からの火災検知信号を受信し且つ火災警報親器２及び火災警報子器３に対して通知音信号を送信する制御Ｉ／Ｆコマンド送受信回路１５とを備えている。ここに、制御Ｉ／Ｆコマンド送受信回路１５が検知信号受信部及び通知音信号送信部を構成しており、音声処理回路１３及びスピーカー１７が警報報知部を構成している。この制御Ｉ／Ｆコマンド送受信回路１５では、２線式の信号線８を介して火災警報子器３に供給される動作電源に時分割多重信号を重畳し且つ重畳された時分割多重信号を検出することで、火災検知信号や通知音信号を送受信する。
【００２４】
次に、火災警報親器２について図１及び図２に基づいて説明する。火災警報親器２は、厚みが薄い略円盤状の器体２ａを有しており、図１に示すようにマイクロコンピュータを主構成要素とするＣＰＵ１９と、例えば火災によって発生する熱や煙あるいはその両方を検知することで火災を検知する火災検知回路（火災検知部）２１と、インターホン親機１及び火災警報子器３との間で伝送信号を送受信するデータ送受信回路２０と、警報や通知音等を出力するスピーカー（報知出力部）２４と、動作点検時等に警報出力を解除するための押ボタン２３及び操作回路２２と、インターホン親機１からの通知音信号を受信した際に通知音を出力するか否かを設定する通知音出力設定スイッチ（出力設定部）２５と、商用電源（１００Ｖ）により各部の動作電源を生成する電源回路２６とを備えている。ここに、データ送受信回路２０が検知信号送信部及び通知音信号受信部を構成している。このデータ送受信回路２０では、インターホン親機１の制御Ｉ／Ｆコマンド送受信回路１５と同様に、信号線８を介して火災警報子器３に供給される動作電源に時分割多重信号を重畳し且つ重畳された時分割多重信号を検出することで、火災検知信号や通知音信号を送受信する。
【００２５】
さらに、火災警報子器３は、電源回路２６を備えていない以外の構成は火災警報親器２と同様の構成であるので、説明は省略する。
【００２６】
また、非常ボタン５は、例えば壁面等に取付けられる本体部５ａを有しており、本体部５ａの略中央位置には押操作部５ｂが設けられている。そして、この押操作部５ｂを押すと、信号線７を介してインターホン親機１に異常があったことが通知され、通話部１ｃから警報が発せられる。
【００２７】
ここで、火災が発生した場合の動作について説明する。例えば、火災警報親器２においてＣＰＵ１９が火災検知回路２１の検知出力に基づいて火災が発生していると判断した場合、ＣＰＵ１９はスピーカー２４を制御して警報音（例えば、ピーポー、ピーポー等の音）を出力させるとともに、データ送受信回路２０を制御して火災検知信号を信号線８に送出させる。
【００２８】
一方、各火災警報子器３では、火災警報親器２から送信された火災検知信号をデータ送受信回路２０で受信すると、ＣＰＵ１９がスピーカー２４を制御して警報音を出力させる。また、インターホン親機１では、火災警報親器２から送信された火災検知信号を制御Ｉ／Ｆコマンド送受信回路１５で受信すると、ＣＰＵ１０が音声処理回路１３を制御してスピーカー１７から警報音を出力させるとともに、映像変復調回路１１を制御して映像表示用モニター１２に火災発生を知らせるための警告表示をさせる。このように、火災警報親器２で火災発生と判断された場合、火災警報親器２と全ての火災警報子器３とインターホン親機１とで警報音の出力等を行うことで住居人に火災が発生していることを迅速且つ確実に知らせることができる。また、何れかの火災警報子器３で火災発生と判断された場合も同様に、火災警報親器２と全ての火災警報子器３とインターホン親機１とで警報音の出力等を行うことができ、住居人に火災が発生していることを迅速且つ確実に知らせることができる。
【００２９】
尚、火災警報親器２及び各火災警報子器３には、動作点検時等に警報出力を解除するための押ボタン２３及び操作回路２２がそれぞれ設けられており、火災警報親器２及び各火災警報子器３で警報音が出力されている場合、この押ボタン２３が押されるまで警報音の出力が継続される。そして、押ボタン２３が押され操作回路２２を介してＣＰＵ１９が押ボタン２３が押されたと判断すると、ＣＰＵ１９はスピーカー２４を制御して警報音の出力を停止させる。
【００３０】
次に、来訪者が呼出操作を行った場合の動作について図３に示すフローチャートに基づいて説明する。まず、来訪者がインターホン子器４の呼出ボタン４ｃを押操作すると（ステップＳ１）、インターホン子器４から通信線６を介してインターホン親機１に呼出信号が送信される。そして、インターホン親機１の給電部（図示せず）から通信線６を介してインターホン子器４に給電されると、撮像部４ｂが起動し撮像部４ｂで撮像した来訪者の映像が通信線６を介してインターホン親機１に伝送される。また、インターホン親機１では、ＣＰＵ１０がインターホン子器呼出検出回路１４を介して呼出信号を受信すると、ＣＰＵ１０は音声処理回路１３を制御してスピーカー１７から、例えばピンポーン等の呼出しを通知する通知音（以下、呼出音という）を出力させるとともに（ステップＳ２）、インターホン子器４から伝送されてきた映像信号を映像変復調回路１１で復調させて映像表示用モニター１２に表示させる。さらに、ＣＰＵ１０は同時に制御Ｉ／Ｆコマンド送受信回路１５を制御して通知音信号を信号線８に送出させる（ステップＳ３）。そして、火災警報親器２及び各火災警報子器３では、インターホン親機１から送信された通知音信号をデータ送受信回路２０で受信すると、ＣＰＵ１９がスピーカー２４を制御して呼出音を出力させる（ステップＳ４）。このように、インターホン子器４からの呼出信号に対して通知音信号を送信する制御Ｉ／Ｆコマンド送受信回路１５をインターホン親機１に設け、インターホン親機１から送信された通知音信号を受信した火災警報親器２及び各火災警報子器３から呼出音を出力させることによって、インターホン親機１等のインターホン設備が設置されていない場所でも火災警報親器２又は火災警報子器３の何れかが設置されている場所であれば、火災警報親器２又は火災警報子器３を通して住居人に来客があったことを確実に通知できるインターホンシステムＡ、インターホン親機１及び火災警報器（火災警報親器２及び火災警報子器３）を実現することができる。
【００３１】
その後、インターホン親機１では、住居人が呼び出しに応答するために通話ボタン１ｄを押操作すると、通話ボタン１ｄが押されたことを検出したＣＰＵ１０が音声処理回路１３と通信線６との間に通話路を形成してインターホン子器４との通話が行われる。
【００３２】
尚、呼出音出力中に火災警報親器２又は火災警報子器３の何れかが火災発生を検知し、火災検知信号がインターホン親機１のＣＰＵ１０に入力された場合、ＣＰＵ１０は音声処理回路１３を制御してスピーカー１７からの呼出音を停止させるとともにスピーカー１７から警報音を出力させ、住居人に火災が発生したことを報知する。また、火災警報親器２及び各火災警報子器３でも、ＣＰＵ１９がスピーカー２４を制御して呼出音を停止させるとともにスピーカー２４から警報音を出力させ、住居人に火災が発生したことを報知する。逆に、警報音出力中にインターホン子器４の呼出ボタン４ｃが押され、呼出信号がインターホン親機１のＣＰＵ１０に入力された場合、ＣＰＵ１０はインターホン子器４からの呼出信号を無視し、警報状態を継続させる。
【００３３】
ここで、火災警報親器２及び各火災警報子器３には、インターホン親機１から送信された通知音信号を受信した場合に通知音を出力する出力モード又は通知音を出力しない非出力モードの何れかに設定する通知音出力設定スイッチ２５がそれぞれ設けられており、この通知音出力設定スイッチ２５を出力モードに設定すると、ＣＰＵ１９がスピーカー２４を制御して呼出音が出力される。また、通知音出力設定スイッチ２５を非出力モードに設定すると、ＣＰＵ１９がスピーカー２４を制御して呼出音が出力されない。従って、インターホン親機１からの呼出音が聞こえる範囲内に設置された火災警報親器２又は火災警報子器３において通知音出力設定スイッチ２５を非出力モードに設定することで、インターホン親機１からの呼出音と火災警報親器２又は火災警報子器３からの呼出音が重なって聞こえることがなく、住居人を不快にさせることがない。また、呼出音を出力させたくない場所に設置された火災警報親器２又は火災警報子器３に対し、通知音出力設定スイッチ２５を非出力モードに設定することで、呼出音を出力させないようにすることができる。
【００３４】
また、火災警報親器２及び各火災警報子器３に通知音出力設定スイッチ２５を設ける代わりに、火災警報親器２及び各火災警報子器３毎に通知音信号の送信の要否を設定する設定スイッチ（送信設定部）等をインターホン親機１に設けてもよく、インターホン親機１からの呼出音が聞こえる範囲内に設置された火災警報親器２又は火災警報子器３を送信不要と設定することで、同様にインターホン親機１からの呼出音と火災警報親器２又は火災警報子器３からの呼出音が重なって聞こえることがなく、住居人を不快にさせることがない。さらに、火災警報親器２及び各火災警報子器３にそれぞれ個別のアドレスを割付け、インターホン親機１に個別に認識させたシステムを構築し、例えば機能スイッチ１ｅ〜１ｈを操作することによって、火災警報親器２及び各火災警報子器３毎に通知音信号の送信の要否を設定する送信設定機能をインターホン親機１に設けてもよい。この場合、送信設定機能により通知音信号の送信要と設定した火災警報親器２又は火災警報子器３からのみ呼出音を出力させることができる。
【００３５】
尚、本実施形態では、通知音としてインターホン子器４から呼出操作された場合の呼出音を例に説明したが、通知音は本実施形態の呼出音に限定されるものではなく、インターホン親機１から火災警報親器２又は火災警報子器３が設置された場所にいる人への呼出音（室内呼出の呼出音）であってもよい。また、本実施形態では、警報を警報音とした場合を例に説明したが、警報は警報音に限定されるものではなく、火災が発生したことを報知する音声等であってもよい。
【図面の簡単な説明】
【００３６】
【図１】本実施形態のインターホンシステムのブロック図である。
【図２】同上のシステム構成図である。
【図３】同上の来客報知の際の動作を示すフローチャートである。
【符号の説明】
【００３７】
１    インターホン親機
２    火災警報親器
３    火災警報子器
４    インターホン子器
１４  インターホン子器呼出検出回路（呼出信号受信部）
１５  制御Ｉ／Ｆコマンド送受信回路
１７  スピーカー
２０  データ送受信回路
２１  火災検知回路（火災検知部）
２４  スピーカー（報知出力部）
２５  通知音出力設定スイッチ（出力設定部）
【図１】
2008187518.tif 000003
【図２】
2008187518.tif 000004
【図３】
2008187518.tif 000005